(57)【要約】相互に並列に接続されているデータ伝送線（３〜６）の接続パラメータを測定するための測定手段（３ａ〜６ａ）と、測定された接続パラメータに応じてデータ伝送線（３〜６）のサブセットを選択するための選択手段と、受信したデータ伝送ストリームを、データ伝送線（３〜６）の選択されたサブセットを介して伝送するため、データ伝送線（３〜６）の選択されたサブセットを活性化するための活性化手段（１５ａ）とを備える、広帯域データ線（７）を介して受信した広帯域データストリームをインバース多重化するためのインバース多重化器デバイス。
2004510360.tif 000002
【特許請求の範囲】
【請求項１】
広帯域データ線（７）を介して受信される広帯域データストリームをインバース多重化するインバース多重化器デバイスであって、
相互に並列に接続されているデータ伝送線（３〜６）の接続パラメータを測定するための測定手段（３ａ〜６ａ）と、
測定された接続パラメータに応じてデータ伝送線（３〜６）のサブセットを選択するための選択手段と、
受信したデータ伝送ストリームを、データ伝送線の選択されたサブセットを介して伝送するために、データ伝送線の選択されたサブセットを活性化する活性化手段（１５ａ）とを備える、インバース多重化器デバイス。
【請求項２】
上記データ伝送線（３〜６）が、ＤＳＬ接続線である、請求項１に記載のインバース多重化器デバイス。
【請求項３】
上記ＤＳＬ接続線（３〜６）が、ツイストペア電話銅線である、請求項２に記載のインバース多重化器デバイス。
【請求項４】
上記測定手段（３ａ〜６ａ）が、内部接続パラメータ、交差接続パラメータおよび一般接続パラメータを測定する、請求項１ないし３のいずれかに記載のインバース多重化器デバイス。
【請求項５】
上記測定手段（３ａ〜６ａ）によって測定された内部接続パラメータが、各データ伝送線（３〜６）における、ビットエラー率（ＢＥＲ）、信号対ノイズ比率（ＳＮＲ）およびスペクトル線特性である、請求項１ないし４のいずれかに記載のインバース多重化デバイス。
【請求項６】
上記測定手段（３ａ〜６ａ）によって測定された交差接続パラメータは、各データ伝送線と残っているほかのデータ接続線との間のクロストークにおけるクロストーク差である、請求項１ないし５のいずれかに記載のインバース多重化器デバイス。
【請求項７】
上記一般接続パラメータは、データ伝送線（３〜６）を介してのデータ伝送に影響を及ぼす周囲ノイズにおける周囲ノイズ差である、請求項１ないし６のいずれかに記載のインバース多重化デバイス。
【請求項８】
上記インバース多重化デバイス（１）が、数個のＤＳＬモデム（３ａ〜６ａ）を備え、各モデムが、各データ伝送線（３〜６）の１つに接続されている、請求項１ないし７のいずれかに記載のインバース多重化デバイス。
【請求項９】
ＤＳＬモデム（３ａ〜６ａ）が、各データ伝送線（３〜６）の接続パラメータを測定する、請求項１ないし８のいずれかに記載のインバース多重化デバイス。
【請求項１０】
上記データ伝送線（３〜６）が、インバース多重化デバイス（１）を、インバース多重化デバイス（１）によりデータ伝送線（３〜６）を介して伝送されるデータストリームを逆多重化するための逆多重化デバイス（２）に接続する、請求項１ないし９のいずれかに記載のインバース多重化デバイス。
【請求項１１】
上記広帯域データ線（７）が、ガラス繊維、１００ベースＴまたは同軸ケーブルである、請求項１ないし１０のいずれかに記載のインバース多重化デバイス。
【請求項１２】
上記インバース多重化デバイス（１）が、広帯域データ線（７）を介して、受信した広帯域データストリームを予め決められたサイズのデータセルＤに分割するためのチョッパーデバイス（８）に接続されている、請求項１ないし１２のいずれかに記載のインバース多重化デバイス。
【請求項１３】
上記逆多重化デバイス（２）が、受信データバッファーを備えており、各バッファーが、インバース多重化デバイス（１）により多重化されたデータセルＤを緩衝するための各データ伝送線（３〜６）に接続されている、請求項１ないし１２のいずれかに記載のインバース多重化デバイス。
【請求項１４】
上記逆多重化デバイス（２）は、チョッパーデバイス（８）によって生成された各データセルに割り当てられているタグを使用してデータセルＤを並べ替えるための再構成器（１１）に接続されている、請求項１ないし１３のいずれかに記載のインバース多重化デバイス。
【請求項１５】
上記広帯域データストリームが、ＰＤＨデータストリーム、ＳＤＨデータストリーム、ＡＴＭデータストリーム、イーサネット（Ｒ）データストリーム、ＨＤＬＣデータストリームまたはＳＯＮＥＴデータストリームである、請求項１ないし１４のいずれかに記載のインバース多重化デバイス。
【請求項１６】
上記選択手段および活性化手段が、インバース多重化デバイス（１）内に集積されている中央処理ユニット（１５ａ）によって構成されている、請求項１ないし１５のいずれかに記載のインバース多重化デバイス。
【請求項１７】
相互に並列に接続されている複数のデータ伝送線（３〜６）を介して広帯域データストリームを伝送するために、上記データストリームを多重化する多重化システムであって、
請求項１に記載のインバース多重化デバイス（１）と、
複数のデータ伝送線（３〜６）を通してインバース多重化デバイス（１）に接続されている逆多重化デバイス（２）とを含む、多重化システム。
【請求項１８】
（ａ）複数のデータ伝送線（３〜６）の接続パラメータを測定する工程と、
（ｂ）測定された接続パラメータに応じて複数のデータ伝送線（２〜６）のサブセットを選択する工程と、
（ｃ）データ伝送線（３〜６）の選択されたサブセットを介して広帯域データストリームを伝送するために、データ伝送線（２〜６）の選択されたサブセットを活性化する工程とを含む広帯域データストリームのインバース多重化方法。
【請求項１９】
全てのデータ伝送線（３〜６）が、連続的に測定される、請求項１８に記載の方法。
【請求項２０】
各データ伝送線（３〜６）用に、内部接続パラメータ、交差接続パラメータおよび一般接続パラメータが測定される、請求項１８または１９のいずれかに記載の方法。
【請求項２１】
接続パラメータマトリックスＰが、全てのデータ伝送線（３〜６）の測定された接続パラメータに応じて生成される、請求項１８ないし２０のいずれかに記載の方法。
【請求項２２】
選択されていないデータ伝送線（２〜６）が、非活性化されている、請求項１８ないし２１のいずれかに記載のインバース多重化方法。
【請求項２３】
データ伝送線（２〜６）の測定が、周期的に繰り返される、請求項１８ないし２２のいずれかに記載のインバース多重化方法。
【請求項２４】
活性化されているデータ伝送線の接続パラメータが該データ伝送線を通したデータ伝送の品質低下を示すと、活性化されているデータ伝送線の代わりになるように、非活性化されているデータ通信線が、選択され、活性化される、請求項１８ないし２３のいずれかに記載のインバース多重化方法。
【発明の詳細な説明】
本発明は、ツイストペア電話銅線（ｔｗｉｓｔｅｄ−ｐａｉｒ ｔｅｌｅｐｈｏｎｅ ｃｏｐｐｅｒ ｌｉｎｅｓ）などの複数のデータ伝送線を介して広帯域データ線が受信した広帯域データストリームを、インバース多重化するためのインバース多重化器デバイス（ｉｎｖｅｒｓｅ ｍｕｌｔｉｐｌｅｘｅｒ ｄｅｖｉｃｅ）に関するものである。
【０００１】
インバース多重化技術は、光学繊維ケーブルまたは同軸リンクのような単一広帯域接続の代わりに、数個の接続を用いる高周波数帯域幅データ伝送に対応するように使用することができる。ＩＭＡは、ＡＴＭ　Ｅ１／Ｔ１接続に関するインバース多重化技術である。ＩＭＡに使用されるＡＴＭ用のインバース多重化プロトコルは、データ中継媒体に関係していない。ＩＭＡインバース多重化技術では、接続線のデータ中継品質は、測定されず、評価されない。
【０００２】
図１から分かるように、複数のＤＳＬ接続線が、ケーブル幹（ｃａｂｌｅ ｔｒｕｎｋ）内に備えられている。各ＤＳＬ接続線は、銅でできたツイストペア電話線により構成されている。環境ノイズ、および、同じケーブル幹内の他のＤＳＬ接続線によって生じる信号妨害、および、ツイストペア電話線の信号減衰は、集合した接続線を介して利用できる全体的な帯域幅の総量を制限している。異なるＤＳＬ接続線の間でのクロストークは、データ伝送のための可能な稼働距離を短縮させる。ＩＭＡインバース多重化技術では、データ伝送線の品質が評価されないので、最良のデータ伝送を提供しないデータ伝送線が活性化される。
【０００３】
従って、本発明の目的は、インバース多重化器デバイスおよび多重データ伝送線を通したデータ伝送の高い信頼性を提供するインバース多重化方法を提供することである。
【０００４】
本発明は、相互に並列に接続されているデータ伝送線の接続パラメータを測定するための測定手段と、
測定された接続パラメータに応じてデータ伝送線のサブセットを選択するための選択手段と、
受信した広帯域データストリームを、データ伝送線の選択されたサブセットを介して伝送するために、データ伝送線の選択されたサブセットを活性化する活性化手段とを備えている広帯域データ線を介して受信される広帯域データストリームをインバース多重化するインバース多重化器デバイスを提供することである。
【０００５】
本発明のインバース多重化器デバイスの実施形態では、データ伝送線が、ＤＳＬ接続線であることが好ましい。
【０００６】
ＤＳＬ接続線は、ツイストペア銅線により構成されていることが好ましい。
【０００７】
好ましい実施形態では、測定手段が、データ伝送線の内部接続パラメータ、交差接続パラメータおよび一般接続パラメータを測定する。
【０００８】
測定手段によって測定された内部接続パラメータは、各伝送線の、ビットエラー率ＢＥＲ、信号対ノイズ比率ＳＮＲおよびスペクトル線特性であることが好ましい。
【０００９】
測定手段によって測定された交差接続パラメータは、全データ伝送線の間のクロストークにおけるクロストーク差であることが好ましい。
【００１０】
測定手段によって測定された一般接続パラメータは、データ伝送線に影響する周囲ノイズにおける周囲ノイズ差であることが好ましい。
【００１１】
好ましい実施形態では、本発明のインバース多重化デバイス（ｉｎｖｅｒｓｅ ｍｕｌｔｉｐｌｅｘｉｎｇ ｄｅｖｉｃｅ）が、数個のＤＳＬモデムを備え、各モデムは、１つのデータ伝送線に接続されている。
【００１２】
各モデムは、各データ伝送線の接続パラメータを測定することが好ましい。
【００１３】
本発明のインバース多重化器デバイスの実施形態では、データ伝送線が、インバース多重化器デバイスを、逆多重化デバイス（ｄｅｍｕｌｔｉｐｌｅｘｉｎｇ ｄｅｖｉｃｅ）に接続することが更に好ましい。この逆多重化デバイスは、インバース多重化デバイスによりデータ伝送線を介して伝送されるデータストリームを、逆多重化するためのものである。
【００１４】
広帯域データストリームをインバース多重化器デバイスに伝送するための広帯域データ線は、ガラス繊維、１００ベースＴまたは同軸ケーブルであることが好ましい。
【００１５】
本発明のインバース多重化デバイスは、好ましい実施形態では、受信される広帯域データストリームを予め決められたサイズのデータセルに分割するためのチョッパーデバイスに、データ線を介して接続されている。
【００１６】
逆多重化デバイスは、好ましい実施形態では、データ受信バッファーを備え、各受信バッファーは、インバース多重化器デバイスによって多重化されたデータセルを緩衝するため各データ伝送線に接続されている。
【００１７】
逆多重化デバイスは、好ましい実施形態では、チョッパーデバイスによって生成された各データセルに割り当てられているタグを使用してデータセルを並べ替えるための再構成器（ｒｅｃｏｎｓｔｒｕｃｔｏｒ）に接続されている。
【００１８】
本発明のインバース多重化器デバイスによって受信される広帯域データストリームは、ＰＤＨデータストリーム、ＳＤＨデータストリーム、ＡＴＭデータストリーム、イーサネット（Ｒ）データストリーム、ＨＤＬＣデータストリームまたはＳＯＮＥＴ（Ｒ）データストリームであることが好ましい。
【００１９】
本発明のインバース多重化器デバイスの更に好ましい実施形態では、選択手段が中央処理ユニットＣＰＵである。
【００２０】
好ましい実施形態では、中央処理ユニットＣＰＵが、本発明のインバース多重化器デバイス内部に集積されている。
【００２１】
本発明は、更に、インバース多重化デバイスと、複数のデータ通信線を通ってインバース多重化デバイスに接続されている逆多重化デバイスとを含み、相互に並列に接続されている複数のデータ伝送線を介して広帯域データストリームを伝送するために、広帯域データストリームを多重化する多重化器システム（ｍｕｌｔｉｐｌｅｘｅｒ ｓｙｓｔｅｍ）を提供する。
【００２２】
本発明は、複数のデータ伝送線の接続パラメータが測定され、測定された接続パラメータに応じて複数のデータ伝送線のサブセットが選択され、そしてデータ伝送線の選択されたサブセットを介して広帯域データストリームを伝送するために、データ伝送線の選択されたサブセットが活性化される、広帯域データストリームのインバース多重化方法を更に提供する。
【００２３】
データ伝送線は、連続して測定されることが好ましい。
【００２４】
各データ伝送線用の本発明のインバース多重化方法の好ましい実施形態では、内部接続パラメータ、交差接続パラメータおよび一般接続パラメータが別々に測定される。
【００２５】
本発明のインバース多重化方法の更に好ましい実施形態では、全データ伝送線の測定された接続パラメータが、接続パラメータマトリックスを生成するために使用される。
【００２６】
選択されていないデータ伝送線は、非活性化されていることが好ましい。
【００２７】
本発明の方法の好ましい実施形態では、データ伝送線の測定が、周期的に繰り返される。
【００２８】
本発明のインバース多重化方法の更に好ましい実施形態では、活性化されているデータ伝送線の接続パラメータが、該データ伝送線を通るデータ伝送の品質低下を示すと、非活性化されているデータ伝送線が、活性化されているデータ伝送線の代用となるように選択され、活性化される。
【００２９】
インバース多重化器デバイスの好ましい実施形態および本発明のインバース多重化方法を、添付の図について詳しく説明する。
【００３０】
図１は、本発明の基礎となる問題を説明するため、複数のデータ伝送線から構成されるケーブル幹での断面を示す。
【００３１】
図２は、本発明のインバース多重化器デバイスＩＭＵＸを含む、相互に並列に接続されている複数のデータ伝送線を介した広帯域データストリームを多重化するための多重化器システムの１つのデータ経路を示す。
【００３２】
図３は、本発明のインバース多重化器デバイスＩＭＵＸのブロック図を示す。
【００３３】
図４は、本発明の広帯域データストリームのインバース多重化方法の好ましい実施形態のフローチャートを示す。
【００３４】
図２では、広帯域データストリームを多重化するための多重化器システムの１つのデータ経路が、本発明のインバース多重化デバイス１を含んでいる。多重化器システムは、双方向データ伝送のための２つの別々のデータ経路を備えている。インバース多重化デバイス１は、銅でできているツイストペア電話導線のような複数のデータ伝送線３，４，５，６を通して逆多重化デバイス２に接続されている。インバース多重化器デバイス１は、データ伝送線３、４、５、６を通してデータセルを逆多重化デバイス２の内部のデータモデム３ｂ、４ｂ、５ｂ、６ｂに伝送するために、数個のデータ中継モデム３ａ、４ａ、５ａ、６ａを備えている。本発明のインバース多重化デバイス１は、広帯域データ線７と接続されており、広帯域データ線７を介してチョッパーデバイス８から広帯域データストリームを受信する。チョッパーデバイス８は、データ線９を通してデータソースから広帯域データストリームを受信し、データ線を介して受信した広帯域データストリームを、予め決められた一定のサイズを有するデータセルに分割する。線９における元のデータストリームは、チョッパーデバイス８によって生成されたデータセルＤの内部に、ペイロードとして伝送される。
【００３５】
本発明のインバース多重化器デバイス１は、データセルＤを受信し、データを伝送するための該受信したデータセルを、データ伝送に対する最高の信頼性を提供するデータ伝送線のサブセットを介して配信するために、インバース多重化を行う。
【００３６】
逆多重化デバイス２は、インバース多重化器デバイス１により、伝送線の選択されたサブセットを介して伝送されたデータストリームを逆多重化し、逆多重化されたデータセルを、データ線１０を通して、データセルＤを並べ替えるための再構成器１１へ送信する。
【００３７】
インバース多重化デバイス１は、チョッパー８から受信したデータセルＤを、選択された活性データ伝送線を通して、知られている順番で伝送する。逆多重化器（ｄｅｍｕｌｔｉｐｌｅｘｅｒ）２は、接続遅延差（ｃｏｎｎｅｃｔｉｏｎ ｄｅｌａｙ ｄｉｆｆｅｒｅｎｃｅｓ）が原因で、データセルを異なる順番で受信する。従って、逆多重化器２により線１０を介して送信されたデータセルＤの順番は、線７を介してインバース多重化デバイスによって受信されたデータセルＤの順番とは異なる。再構成器１１は、データセルＤの生成の間にチョッパーデバイス８によって各データセルに割り当てられたタグを使用してデータセルを並べ替える。再構成器１１は、線９を介してチョッパーデバイス８が受信した元のデータストリームを獲得するために、データセルを並べ替える。再構成器１１によって並べ替えられたデータセルは、更なるデータ処理のためにデータ線１２を通して出力される。
【００３８】
インバース多重化デバイス１と逆多重化デバイス２は、ともに線１４，１６を通して、データ管理および多重化制御のための中央処理ユニット１５ａ、１５ｂに接続されている。
【００３９】
図３は、本発明のインバース多重化器デバイス１のブロック図を示す。インバース多重化デバイス１は、それぞれ各データ伝送線３から６に接続されている数個のモデム３ａ、４ａ、５ａ、６ａを含んでいる。各モデム３ａから６ａは、線１３ａから１６ａを通って、インバース多重化デバイス１のデータ伝送端子１７に接続されている。更に、各モデム３ａから６ａは、線１３ｂから１６ｂを介して、インバース多重化デバイス１をデータ伝送線３から６に接続するためのデータ伝送端子１３ｃから１６ｃに接続されている。各モデム３ａから６ａは、各データ伝送線３から６の接続パラメータを測定し、測定した接続パラメータを、各パラメータ中継線１３ｄから１６ｄを介して、インバース多重化デバイス１のパラメータ中継端子１８に中継する。パラメータ中継端子１８は、中央処理ユニット１５ａに接続されている。この中央処理ユニット１５ａは、全データ伝送線３から６の測定された接続パラメータを受信し、接続パラメータを更に評価するために、線２０を介して中央処理ユニット１５ａに接続されている収納手段１９に、接続パラメータを収納する。
【００４０】
インバース多重化デバイス１の好ましい実施形態では、中央処理ユニット１５ａおよび測定された接続パラメータを収納するための収納手段１９は、インバース多重化デバイス１に集積されている。
【００４１】
モデム３ａから６ａは、ＤＳＬモデムであることが好ましい。各ＤＳＬモデム３ａから６ａは、各接続線３から６の内部接続パラメータ、交差接続パラメータおよび一般接続パラメータを測定する。
【００４２】
モデムによって測定される内部接続パラメータは、データ伝送線３から６の、ビットエラー率ＢＥＲ、信号対ノイズ比率ＳＮＲおよびスペクトル線特性である。
【００４３】
モデム３ａから６ａによって測定される交差接続パラメータは、各接続線と他の残っている接続線との間のクロストークにおけるクロストーク差である。
【００４４】
一般接続パラメータとして、モデム３ａから６ａは、各接続線に影響する周囲ノイズにおける周囲ノイズ差を測定する。
【００４５】
全ての接続線３から６の測定された接続パラメータ（ｃｏｎｎｅｃｔｉｏｎ ｐａｒａｍｅｔｅｒｓ）は、中央処理ユニット１５によって収納手段１９に収納される。データ伝送線３から６の最適なサブセットの選択の前に、収納された接続線パラメータ（ｃｏｎｎｅｃｔｉｏｎ ｌｉｎｅｓ ｐａｒａｍｅｔｅｒｓ）を基礎にして、パラメータマトリックスＰが、中央処理ユニット１５ａによって生成される。
【００４６】
【数１】
2004510360.tif 000003
【００４７】
ただし、Ａｉｉは、ビットエラー率ＢＥＲ、信号対ノイズ比率ＳＮＲを基礎とする内部チャンネル品質パラメータであり、Ａｉｊは、異なるデータ伝送線の間でのクロストークを基礎としたクロスチャンネル品質パラメータであり、Ｎは、図２に示すようにインバース多重化デバイス１を逆多重化デバイス２に接続している全ての使用可能なデータ伝送線の数である。
【００４８】
図２に示す例では、使用可能なデータ接続線の数Ｎは４である。中央処理ユニットは、パラメータマトリックスＰを評価し、総数Ｎ本の使用できる接続線からＫ本のデータ接続線のサブセットを選択する。この際、中央処理ユニットによって選択されたＫ本のデータ接続線のサブセットは、インバース多重化デバイス１と逆多重化デバイス２との間のデータ伝送における最高の信頼性を提供する。
【００４９】
データ伝送線の最良のサブセットの選択の後、中央処理ユニット１５ａは、各モデム３ａから６ａを、データ伝送のための制御端子２１に接続されている制御線１３ｅから１６ｅを介して、活性化する。残っている選択されていないデータ伝送線のモデムは、非活性化されている。中央処理ユニット１５ａは、選択処理の間に、最良のデータ伝送接続から最悪のデータ伝送接続線まで全ＤＳＬ接続を記録する。要求される帯域幅を搬送するのに必要とされる最良のＫ本のデータ伝送線が作動される。それ以外のデータ伝送線は停止される。データ線品質測定の処理は、全ての活性なデータ伝送線Ｋにおいて行われる。切断が原因のデータ線エラーの場合、あるいは、活性化されたデータ伝送線のビットエラー率が非常に高い場合、各モデムを不活性化することによって該データ伝送線が停止され、欠陥のあるデータ伝送線の代わりになるように、次に使用できる最良のデータ伝送線が作動される。
【００５０】
データ伝送線の接続パラメータの測定は、周期的に繰り返される。データ伝送線の一方が切断されたとき、あるいは高いビットエラー率ＢＥＲを有するときに、切り替えが生じる。データ伝送用に要求される帯域幅よりも幅の広い理論上の帯域幅を有する一組のＮ本のデータ接続線の使用、および、データ接続線の最良のサブセットの選択は、ビットエラー率ＢＥＲまたは信号対ノイズ比率ＳＮＲに関して高いエラー許容値と、より良い接続品質を提供する。データ接続線の最良のサブセットの選択は、自動的に行われ、全ての使用できるデータ接続線の間を動的に切り替えることは、インバース多重化デバイス１と逆多重化デバイス２との間における最良の総合的なデータ伝送接続を提供する。
【００５１】
図２に示す例では、中央処理ユニット１５ａが、データ伝送線の最適なサブセットとして、データ伝送線３，４，５を選択するのに対し、データ伝送線６は、スイッチが切られている。例えば、データ伝送線３が切断されると、切断されたデータ伝送線３の代わりになるように、中央処理ユニット１５によって、データ伝送線６が作動される。中央処理ユニット１５ａによって作動されていないデータ伝送線は、データ伝送における冗長性を提供する。データ伝送用により高周波数帯域幅が必要な場合、必要な合計の周波数帯域幅のために、バックアップデータ伝送線が作動される。
【００５２】
データ接続は、ＨＤＳＬ，ＳＤＳＬ，ＡＤＳＬまたはＶＤＳＬのようなどのＤＳＬ技術をも基礎とすることができる。広帯域データ線７を通りインバース多重化デバイス１によって受信される広帯域データストリームは、ＰＤＨデータストリーム、ＳＤＨデータストリーム、ＡＴＭデータストリーム、イーサネット（Ｒ）データストリーム、ＨＤＬＣデータストリームまたはＳＯＮＥＴデータストリームなどのデータストリームの種類でもよい。図２に示す多重化システム（ｍｕｌｔｉｐｌｅｘｉｎｇ ｓｙｓｔｅｍ）は、ＤＳＬ技術を使用する場合、上流データ伝送方向でも下流データ伝送方向でも使用できる。両側の中央処理ユニット１５ａ、１５ｂは、選択処理と冗長線切り替え処理を行う。インバース多重化デバイス１は、高帯域幅の、総合的帯域幅を有する最良のＫ本のデータ接続線を介した完全重複データビットストリームを逐次的に保証する。他のＮ−Ｋ本のデータ接続線は、システム用バックアップリンクとして使用される。ビットエラー率ＢＥＲまたは信号対ノイズ比率ＳＮＲに関連するエラーデータ接続線が探知されると、エラーデータ接続線が使用できる最良のバックアップリンクと活線挿抜（ｈｏｔ ｓｗａｐｐｉｎｇ）される。
【００５３】
本発明のインバース多重化デバイス１は、電源から局所的に動力が供給されてもいいし、あるいは、接続線を介して遠隔的に動力が供給されても良い。
【００５４】
ツイストペアデータ接続線は、中央局交換（ｃｅｎｔｒａｌ ｏｆｆｉｃｅ ｅｘｃｈａｎｇｅ）をキャビネット、または、同じ建物内の地下室あるいは端末使用者あるいは２室へのカーブに接続することができる。インバース多重化デバイス１は、広い範囲への高速データ伝送用の経費を削減する。なぜなら、従来のデータ伝送線を、広帯域データ伝送用に使用することができるからである。中継されたデータは、ケーブル幹のような同じ接続媒体を介して伝送されるので、時間的な遅れは非常に小さい。図２に示す多重化器システムは、高価な新しい光学繊維接続を備える必要はなく、高帯域幅接続を提供する。既存の銅を基礎とするツイストペアが代わりに使用される。
【００５５】
図４は、本発明の広帯域データストリームのインバース多重化方法のための好ましい実施例を示す。
【００５６】
工程０から処理は始まり、ステップ１では、全ての伝送器ＴＸ、すなわち、インバース多重化デバイス内のモデム３ａから６ａは切断されている。
【００５７】
工程Ｓ２では、全受信器ＲＸ、すなわち、逆多重化デバイス２内のモデム３ｂから６ｂの周囲ノイズが測定される。
【００５８】
工程Ｓ３では、第１伝送器、すなわち、インバース多重化デバイス１内のモデム３ａが作動される。
【００５９】
工程Ｓ４では、受信器１、すなわち逆多重化デバイス２内のモデム３ｂが伝送デバイス３ａに対して固定されているかどうかを調べる。
【００６０】
逆多重化デバイス２内のモデム３ｂが、該当する伝送デバイス３ａに対して固定されている場合、データ伝送線３の、ビットエラー率ＢＥＲとスペクトル線特性とが、データ伝送線の内部接続パラメータとして工程Ｓ５において測定される。
【００６１】
更なる測定工程Ｓ６では、データ通信線３と残っている他のデータ通信線４から６のパラメータとの間のクロストークが測定される。
【００６２】
処理は、全ての稼働している伝送デバイスが再度切断される工程７へと続く。
【００６３】
次に、工程Ｓ８では、インバース多重化デバイス１内のモデム４ａのような次に伝送するデバイスのスイッチが作動され、測定工程Ｓ４からＳ６が繰り返される。このことは、工程１０において、最後のデータ伝送線の接続パラメータが測定されたことが探知されるまで、インバース多重化デバイス１の全伝送デバイス３ａから６ａに行われる。
【００６４】
全ての接続パラメータが探知された後に、パラメータマトリックスＰが工程１１において生成される。
【００６５】
中央処理ユニット１５ａは、工程Ｓ１２において、最良のＫ本のデータ接続線をパラメータマト．リックスＰに基づいて選択する。
【００６６】
工程Ｓ１３では、選択されたデータ伝送線のモデムが、中央処理ユニット１５によってデータ伝送用に活性化される。
【００６７】
図４に示す処理は、工程Ｓ１５で終了する。
【００６８】
データ伝送線の測定は、周期的に繰り返される。活性化されているデータ伝送線の接続パラメータが該データ伝送線を通るデータ伝送の品質低下を示すと、活性化されているデータ伝送線の代わりになるように、非活性化されたデータ伝送線が選択され活性化される。
【図面の簡単な説明】
【図１】
本発明の基礎となる問題を説明するための複数のデータ伝送線から構成されるケーブル幹での断面図である。
【図２】
本発明のインバース多重化器デバイスＩＭＵＸを含む、相互に並列に接続されている複数のデータ伝送線を介した広帯域データストリームを多重化するための多重化器システムの１つのデータ経路を示す図である。
【図３】
本発明のインバース多重化器デバイスＩＭＵＸのブロック図である。
【図４】
本発明の広帯域データストリームのインバース多重化方法の好ましい実施形態のフローチャートを示す図である。
【図１】
2004510360.tif 000004
【図３】
2004510360.tif 000005
【図４】
2004510360.tif 000006
【国際公開パンフレット】
2004510360.tif 000007
2004510360.tif 000008
2004510360.tif 000009
2004510360.tif 000010
2004510360.tif 000011
2004510360.tif 000012
2004510360.tif 000013
2004510360.tif 000014
2004510360.tif 000015
2004510360.tif 000016
2004510360.tif 000017
2004510360.tif 000018
2004510360.tif 000019
2004510360.tif 000020
2004510360.tif 000021
2004510360.tif 000022
2004510360.tif 000023
2004510360.tif 000024
2004510360.tif 000025
2004510360.tif 000026
2004510360.tif 000027
2004510360.tif 000028
2004510360.tif 000029
【国際調査報告】
2004510360.tif 000030
2004510360.tif 000031